(57)【特許請求の範囲】
【請求項１】
筐体内にディスクカートリッジが装着されるカートリッジ装着部が構成されたベースが配設される装置本体と、
上記装置本体に回動可能に取り付けられ、上記カートリッジ装着部を閉塞する蓋体と、
上記天板部の相対向する両側に上記ディスクカートリッジを保持する一対のカートリッジ保持部が形成され、上記カートリッジ保持部が設けられた両側と直交する前面側にカートリッジ挿脱口が形成され、上記装置本体と上記蓋体の間に、ベースに回動可能に支持されるカートリッジホルダと、
上記装置本体に配設され、上記カートリッジ装着部に装着されたディスクカートリッジのディスク状記録媒体に対し情報信号の記録又は再生を行う記録及び／又は再生手段と、
上記蓋体側に取り付けられ、上記カートリッジホルダ及び／又は上記カートリッジ装着部に装着された上記ディスクカートリッジを上記ベースに押圧する押圧部材とを備え、
上記押圧部材は、振動を減衰させる第１の振動減衰部材を介して上記蓋体に取り付けられていることを特徴とする記録及び／又は再生装置。
【請求項２】
上記ベースは、支持機構により上記筐体内に支持され、上記支持機構は、上記ベース又は筐体に設けられた支軸と、上記支軸が挿通される上記支軸の直径より大きい直径の挿通孔が形成され、上記筐体又は上記ベースに設けられる支持片と、上記挿通孔に挿通された上記支軸の先端側に取り付けられ、軸方向の移動を規制する規制部材と、上記ベースと上記支持片との間及び／又は上記支持片と上記規制部材との間に配設されて上記支軸を支持し、振動を減衰する第２の振動減衰部材とを有することを特徴とする請求項１記載の記録及び／又は再生装置。
【請求項３】
上記筐体の側壁又は上記ベースの側面との間には、振動を減衰する第３の振動減衰部材が設けられていることを特徴とする請求項２記載の記録及び／又は再生装置。
【発明の詳細な説明】
【０００１】
【発明の属する技術分野】
本発明は、振動を減衰し、記録及び／又は再生手段が確実に記録媒体に対して情報信号の記録及び／又は再生を行うことができる記録及び／又は再生装置に関する。
【０００２】
【従来の技術】
従来、携帯型のディスク記録再生装置は、ディスクカートリッジが装着されるカートリッジ装着部が構成され、筐体内に配設されるベースと、ベースに対して回動可能に取り付けられるディスクカートリッジを保持するカートリッジホルダと、カートリッジホルダを被覆するように取り付けられ、筐体に回動可能に取り付けられる蓋体とを備える。
【０００３】
ディスクカートリッジが装着されるカートリッジ装着部が構成されたベースには、略中央部にディスクカートリッジの光磁気ディスクを回転するディスク回転操作機構と、光ビームを光磁気ディスクに照射し、反射した戻りの光ビームを検出する光ピックアップ装置とが組み込まれている。また、カートリッジホルダの上側には、光ピックアップ装置と同期して移動し、光磁気ディスクに対して外部磁界を印加する磁気ヘッド装置が配設されている。
【０００４】
ディスクカートリッジがカートリッジホルダに保持された状態でベースに構成されたカートリッジ装着部に装着されると、光磁気ディスクは、ディスク回転操作機構により回転されるとともに、光ピックアップ装置により光ビームが照射され、局所的にキュリー温度まで加熱され、ここに磁気ヘッド装置により外部磁界が印加されることで、情報信号が記録される。また、光磁気ディスクは、ディスク回転操作機構により回転されるとともに、光ピックアップ装置により光ビームが照射され、光磁気ディスクで反射された戻りの光ビームが光ピックアップ装置に検出されることで、記録された情報信号の再生が行われる。
【０００５】
ところで、光磁気ディスクは、光ピックアップ装置と磁気ヘッド装置とにより情報信号の記録再生が行われているとき、光磁気ディスクの中央部に設けられたクランピングプレートがディスク回転操作機構のマグネットにより磁気吸引されて吸引保持されている。一方、ディスクカートリッジを保持するカートリッジホルダは、ディスクカートリッジの挿脱を円滑に行うことができるようにするため、ディスクカートリッジよりやや大きく形成され、ディスクカートリッジを保持した際がたつくようになっている。このため、光磁気ディスクは、ディスク回転操作機構に吸引保持されているものの、外部からの衝撃等により振動が加えられると、光磁気ディスクを収納したカートリッジ本体ががたつき、このときの振動がディスク回転操作機構に吸引保持されている光磁気ディスクに伝達されてしまうことがある。特に、記録時に光磁気ディスクに振動が伝達され、光磁気ディスクが振動すると、光磁気ディスクに磁界を印加している磁気ヘッド装置と光ビームを照射している光ピックアップ装置との光磁気ディスクとの相対的位置がずれてしまい、磁気ヘッド装置が光磁気ディスクに対して正確な場所に磁界を印加することができず、また、正確な位置に光ビームを照射することができず、記録再生エラーが発生してしまう。
【０００６】
そこで、従来のディスク記録再生装置には、蓋体とカートリッジホルダとの間に、カートリッジホルダに保持されたディスクカートリッジをカートリッジ装着部に押圧する押圧部材が配設されている。この押圧部材は、板ばねにより形成され、蓋体に取り付けられる取付部と、取付部と一体的に形成され、カートリッジホルダの天板部を押圧する弾性変位部とから構成されている。そして、押圧部材は、取付部を接着剤等で蓋体の裏面に接着することで、蓋体の裏面に取り付けられる。この押圧部材は、ディスクカートリッジがカートリッジホルダに保持された状態でカートリッジ装着部に装着されたとき、弾性変位部がカートリッジホルダの天板部を押圧し、カートリッジホルダの天板部をディスクカートリッジ側に撓ませることで、この天板部を介してディスクカートリッジをカートリッジ装着部に押圧し、ディスクカートリッジがカートリッジ装着部でがたつくことを防止している。
【０００７】
【発明が解決しようとする課題】
しかしながら、上述した押圧部材は、蓋体の裏面に直接接着剤により取り付けられていることから、蓋体に加えられた衝撃に伴う振動は、押圧部材とカートリッジホルダを介してカートリッジ装着部に装着されたディスクカートリッジに伝達されてしまう。このため、押圧部材は、カートリッジ装着部に装着されたディスクカートリッジの振動を完全に除去することができない。
【０００８】
以上のように、蓋体に加えられた衝撃に伴う振動が押圧部材とカートリッジホルダを介してカートリッジ装着部に装着されたディスクカートリッジに伝達されることを防止するため、ディスク記録再生装置の中には、カートリッジホルダを構成する天板部の弾性変位部と接触する領域に、振動を減衰させる振動減衰部材を取り付けたものがある。この振動減衰部材は、ゴム弾性を有するものが用いられている。しかしながら、振動減衰部材が取り付けられたカートリッジホルダと押圧部材が取り付けられた蓋体とは、回動支点を異にしていることから、押圧部材の弾性変位部が蓋体の開閉が行われるたびに、弾性変位部と振動減衰部材との接触位置がずれることになる。振動減衰部材は、ゴム材により形成され、摩擦係数が大きいことから、押圧部材の弾性変位部は、振動減衰部材に対して滑りにくい。したがって、蓋体の開閉が繰り返されることにより、振動減衰部材は、カートリッジホルダの天板部より剥がれてしまうことがあった。
【０００９】
ところで、携帯型のビデオカメラ装置の中には、記録媒体にテープカセットを用いる代わりにディスクカートリッジを用いるディスク記録再生装置を備えたものがある。このディスクカートリッジに用いる光磁気ディスクは、映像信号を長時間にわたって記録できるように、従来の楽音信号等を記録する光磁気ディスクより高密度化が図られている。したがって、この光磁気ディスクは、記録トラック等も狭小であり、記録時に振動すると、所定の記録トラックに情報信号を記録することができず、記録再生エラーが発生してしまう。
【００１０】
そこで、本発明は、外部より加えられた衝撃等に伴う振動を減衰し、カートリッジ装着部に装着されたディスクカートリッジに振動を伝わらないようにすることができる新規な記録及び／又は再生装置を提供することを目的とする。
【００１１】
【課題を解決するための手段】
本発明に係る記録及び／又は再生装置は、上述した課題を解決すべく、筐体内にディスクカートリッジが装着されるカートリッジ装着部が構成されたベースが配設される装置本体と、装置本体に回動可能に取り付けられ、カートリッジ装着部を閉塞する蓋体と、天板部の相対向する両側にディスクカートリッジを保持する一対のカートリッジ保持部が形成され、カートリッジ保持部が設けられた両側と直交する前面側にカートリッジ挿脱口が形成され、装置本体と蓋体の間に、ベースに回動可能に支持されるカートリッジホルダと、装置本体に配設され、カートリッジ装着部に装着されたディスクカートリッジのディスク状記録媒体に対し情報信号の記録又は再生を行う記録及び／又は再生手段と、蓋体側に取り付けられ、カートリッジホルダ及び／又はカートリッジ装着部に装着されたディスクカートリッジをベースに押圧する押圧部材とを備える。そして、押圧部材は、振動を減衰させる第１の振動減衰部材を介して蓋体に取り付けられている。
【００１２】
【発明の実施の形態】
以下、本発明に係る記録及び／又は再生装置が適用された携帯型のビデオカメラ装置について図面を参照して説明する。
【００１３】
このビデオカメラ装置１は、図１及び図２に示すように、片手で持つことができる程度に小型化された電子機器であり、撮像素子、フォーカスレンズ、ズームレンズ等からなる撮像部、記録媒体となるディスクカートリッジが収納される記録再生部等が内部に設けられた機器本体２と、機器本体２に電力を供給する図示しないバッテリパック等を備える。
【００１４】
機器本体２は、携帯可能な大きさに形成され、前面部には、被写体を撮像するための撮像部３が設けられている。この撮像部３は、詳細は省略するが対物レンズ、フォーカスレンズ、ズームレンズ等からなるレンズ群と例えばＣＣＤ素子等の撮像素子とから構成されている。また、撮像部３が設けられた前面部と対向する背面部には、利用者が接眼することで、撮影中の映像を見ることができる第１の表示部となるビューファインダ４が設けられている。
【００１５】
機器本体２の一側面には、撮影中又は撮影済みの映像を表示する第２の表示部となる液晶表示パネル５が回動可能に取り付けられている。機器本体２の一側面には、この液晶表示パネル５を収納するための収納部６が設けられている。この液晶表示パネル５は、表示面がタッチパネルよりなり、例えばペン型のポインティング・デバイス７等で操作信号を入力できるように形成されている。液晶表示パネル４は、機器本体２にヒンジ部８を介して開閉可能に取り付けられている。このヒンジ部８には、図示しないが液晶表示パネル５の開閉を検出する開閉検出スイッチが設けられている。機器本体２は、この開閉検出スイッチが液晶表示パネル５が開かれたことを検出したときに限って、液晶表示パネル５を駆動し、映像を表示するとともに、ポインティング・デバイス７により入力操作が可能となるようにしている。なお、液晶表示パネル５の一側面部には、このポインティング・デバイス７を収納するための収納部７ａが設けられ、ポインティング・デバイス７は、非使用時にこの収納部７ａに収納される。
【００１６】
また、液晶表示パネル５が収納される収納部６の底面部６ａには、撮像部３で撮像された映像が記録される記録媒体となるディスクカートリッジ１１が収納される記録再生部９が設けられている。液晶表示パネル５は、収納部６に収納されているとき、記録再生部９を保護する蓋体としても機能し、液晶表示パネル５が記録再生部９を閉塞しているときには、直接記録再生部９に衝撃等が加わらないようにしている。
【００１７】
また、この機器本体２の一側面には、液晶表示パネル５の収納部６が設けられていない領域に、記録再生部９を操作するための操作部１０が設けられている。具体的に、この操作部１０は、記録媒体となるディスクカートリッジに記録された情報信号を読み出しを開始する再生ボタンやトラックジャンプボタンや記録再生を停止する停止ボタン等から構成されている。また、ビューファインダ４が設けられた背面部には、記録を開始する記録開始ボタン１０ａが設けられている。また、図３に示すように、機器本体２の底面には、蓋体が記録再生部１０を閉塞した状態に保持するロック機構のロックを解除する蓋体のロック解除ボタン１０ｂが設けられている。
【００１８】
ところで、このようなビデオカメラ装置１に記録媒体として用いられるディスクカートリッジ１１は、図４及び図５に示すように、上下一対のハーフ１２，１３を突き合わせ結合して形成したカートリッジ本体１４内に情報信号の記録を可能とする光磁気ディスク１５を回転自在に収納している。カートリッジ本体１４の下面側の中央部には、図５に示すように、このカートリッジ本体１４に収納した光磁気ディスク１５の中心部に取り付けたマグネットにより磁気吸引が可能な磁性材料よりなるクランピングプレート１６を外方に臨ませる中央開口部１７が設けられている。また、カートリッジ本体１４の上下面の相対向する位置には、このカートリッジ本体１４に収納した光磁気ディスク１５の主面に形成された信号記録領域の一部を内外周に亘って外方に臨ませる記録再生用開口部１８，１９が設けられている。これら記録再生用開口部１８，１９は、カートリッジ本体１４の左右方向の中央部に位置してカートリッジ本体４の中央部近傍から一側面側に亘って形成されている。
【００１９】
また、カートリッジ本体１４には、記録再生用開口部１８，１９を開閉するシャッタ部材２０が移動可能に取り付けられている。シャッタ部材２０は、薄い金属板を断面コ字状に折り曲げて形成され、カートリッジ本体１４の一側面側から嵌合するように取り付けられ、カートリッジ本体１４の一側面に沿って移動操作される。このシャッタ部材２０は、各記録再生用開口部１８，１９を閉塞した位置にあるとき、カートリッジ本体１４内に設けたシャッタロック部材２１によりロックされ移動が規制された状態におかれる。そして、シャッタ部材２０は、ディスクカートリッジ１１が記録再生部９に挿入されるとき、カートリッジ本体１４の一側面側に形成したシャッタ開放片進入溝２２に進入するカートリッジホルダ側に設けられたシャッタ開放片によりシャッタロック部材２１によるロックが解除され、各記録再生用開口部１８，１９を開放する方向に移動操作される。
【００２０】
シャッタ部材２０の記録再生用開口部１８，１９をそれぞれ閉塞するシャッタ部２０ａ，２０ｂを連結する連結片２０ｃの中央部には、記録再生部側に設けられるシャッタ部材保持片が係合する係合孔２３が設けられている。なお、シャッタ開放片進入溝２２は、シャッタ部材２０が移動するカートリッジ本体１４の一側面に直交する側面を開放端として形成されている。
【００２１】
また、カートリッジ本体１４の下面側には、図５に示すように、記録再生用開口部１９の両側に位置するようにして記録再生部側に設けられる位置決めピンが係合する一対の位置決め孔２４，２５が設けられている。さらに、カートリッジ本体１４には、図５に示すように、光磁気ディスク１５への情報信号の記録の可否を識別するための誤記録検出孔２６及びこの誤記録検出孔２６を開閉する誤記録防止部材２７が設けられている。
【００２２】
このように形成されたディスクカートリッジ１１は、シャッタ開放片進入溝２２の開放端が臨まされる側面側を挿入端として記録再生部９に挿入される。
【００２３】
ところで、機器本体２には、上述したように、記録媒体となるディスクカートリッジ１１が収納され、情報信号の記録又は再生が行われる記録再生部９が設けられている。この記録再生部９は、図６に示すように、機器本体２を構成する筐体３１内に、ディスクカートリッジ１１が装着されるカートリッジ装着部が構成されたベース３２と、筐体３１に対して回動可能に取り付けられ、ベース３２に構成されたカートリッジ装着部を閉塞する蓋体３３と、ベース３２と蓋体３３との間に配設され、ベース３２に回動可能に取り付けられるカートリッジホルダ３４とを備える。
【００２４】
機器本体２を構成する筐体３３の内部に配設されるベース３２は、図６に示すように、筐体３１に液晶表示パネル５の収納される収納部６の更に下側に設けられた略矩形状のベース収納部３５に配設される。このベース３２は、図６及び図７に示すように、剛性の高い金属板よりなり、ベース収納部３５に収納可能な大きさを有する平板な矩形状に形成されている。
【００２５】
ベース３２の上面側には、このビデオカメラ装置１に用いられるディスクカートリッジ１１が位置決めされて装着されるカートリッジ装着部３６が設けられている。カートリッジ装着部３６が構成されるベース３２の上面側には、図７に示すように、ディスクカートリッジ１１に設けた位置決め孔２４，２５に係合する一対の位置決めピン３７，３８が突設されている。ディスクカートリッジ１は、位置決め孔２４，２５を一対の位置決めピン３７，３８にそれぞれ係合させることによって、装着位置が位置決めされてカートリッジ装着部３６に装着される。また、ベース３２の上面側には、カートリッジ装着部３６にディスクカートリッジ１１が装着されたことを検出するカートリッジ検出スイッチ３９が設けられている。
【００２６】
ベース３６の略中央部には、図６及び図７に示すように、カートリッジ装着部３６に装着されたディスクカートリッジ１１に収納された光磁気ディスク１５を回転するディスク回転操作機構４１が取り付けられている。ディスク回転駆動機構４１は、図６及び図７に示すように、スピンドルモータ４２と、スピンドルモータ４２のスピンドル４３に一体に取り付けられるディスクテーブル４４とを備える。スピンドルモータ４２は、図７に示すようにスピンドル４３をベース３２の上面側に突出させ、ベース３２の下面側に図示しないモータ取付板を介して取り付けられている。ディスクテーブル４４は、ベース３２の上面側に突出されたスピンドル４３の先端側に一体的に取り付けられている。ディスクカートリッジ１１を構成するカートリッジ本体１４に収納された光磁気ディスク１５は、ディスクカートリッジ１１がカートリッジ装着部３６に装着されたとき、ディスク回転操作機構４１のディスクテーブル４４上に載置され、ディスクテーブル４４側に設けたマグネットによりクランピングプレート１６が吸引されることによりセンタリングが図られた状態でディスクテーブル４４と一体に回転可能な状態にクランプされる。
【００２７】
また、ベース３２には、図６及び図７に示すように、ディスクテーブル４４にクランプされ、ディスクテーブル４４と一体に回転駆動される光磁気ディスク１５の信号記録領域を走査する光ビームを出射する光ピックアップ装置４５が取り付けられている。光ピックアップ装置４５は、光磁気ディスク１５の信号記録領域を走査する光ビームを出射する光源である半導体レーザ、光ディスク５から反射された戻りの光ビームを検出する光検出素子、半導体レーザから出射された光ビームと光ディスクから反射された戻りの光ビームを分離するビームスプリッタ等の光学素子を内蔵した光学ブロック４６と、半導体レーザから出射された光ビームを光磁気ディスク１５の信号領域に収束させて照射する対物レンズ４７と、対物レンズ４７を介して光磁気ディスク１５に照射される光ビームが光ディスクの信号記録領域に合焦されて照射されるとともに光ディスクに形成された記録トラックに追従するように対物レンズ４７をこの対物レンズ４７の光軸方向及び光軸方向に直交する平面方向に駆動変位させる２軸アクチュエータとを備える。
【００２８】
光ピックアップ装置４５は、図６及び図７に示すように、ベース３２に形成したピックアップ用開口部４８を介して対物レンズ４７をディスクテーブル４４上の光磁気ディスク１５の主面に対向させるようにしてベース３２の下面側に配設される。この光ピックアップ装置４５は、図７に示すように、光学ブロック４６に設けられた軸挿通孔４９をベース３２の下面側に取り付けたガイド軸５１に挿通することによって、ディスクテーブル４４に近接離間する方向に移動可能に支持されている。
【００２９】
なお、この光ピックアップ装置４５は、詳細は省略するがベース３２の下面に配設されたピックアップ送り機構により送り操作される。このピックアップ送り操作機構は、ガイド軸５１に平行に取り付けられる送りねじと、この送りねじを回転する送りモータとを備える。そして、光ピックアップ装置４５は、光学ブロック４６の一端側に取り付けた図示しないネジ係合片を送りネジに係合させることによってピックアップ送り機構に連結されている。光ピックアップ装置４５は、この送りねじが送りモータが駆動され回転されることで、ネジ係合片が送りネジのネジ山にガイドされて移動され、ガイド軸５１にガイドされてディスクテーブル４４に近接離間する図７中矢印Ａ方向及び矢印Ｂ方向に送り操作される。
【００３０】
以上のような光ピックアップ装置４５は、図６及び図７に示すように、この光ピックアップ装置４５と同期してディスクテーブル４４上の光磁気ディスク１５の径方向に送り操作されるように磁気ヘッド装置５２が連結されている。この磁気ヘッド装置５２は、光磁気ディスク１５に記録すべき情報信号に応じて変調された外部磁界を印加する磁気ヘッド５３と、この磁気ヘッド５３を先端側に支持した弾性変位可能な板バネを備えた磁気ヘッド支持板５４とを備える。そして、磁気ヘッド５３は、光磁気ディスク１５の光ビームが照射された位置に磁界を印加できるように、光ピックアップ装置４５を構成する対物レンズ４７に対向されている。
【００３１】
磁気ヘッド装置５２は、磁気ヘッド５３がディスクテーブル４４上の光磁気ディスク１５を挟んで光ピックアップ装置４５と相対向する位置に位置するように、連結部材５５を介して光ピックアップ装置４５の光学ブロック４６に連結されている。
【００３２】
連結部材５５は、図６及び図７に示すように、磁気ヘッド装置５２に連結される連結片５６と、連結片５６の一端部側を連結片５６に対し直交する方向に折り曲げて形成した光ピックアップ装置４５への取付片５７とからなり、全体として略Ｌ字状に形成されている。この連結部材５５は、連結片５６の先端側がベース３２の上に突出するようにして、取付片５７を固定ネジ等を用いて光学ブロック部４６に固定して光ピックアップ装置４５の光学ブロック４６に取り付けられる。連結片５６の他端側には、磁気ヘッド支持板５４の基端部が回動可能に支持されている。磁気ヘッド支持板５４は、先端部に支持した磁気ヘッド５３がディスクテーブル４４上の光磁気ディスク１５に対し近接離間する方向の図５中矢印Ｃ方向及びＤ方向に回動する。なお、磁気ヘッド支持板５４は、板バネの付勢力を受けて図７中矢印Ｄ方向のカートリッジホルダ３４に近接する方向に回動付勢されている。
【００３３】
このように連結部材５５を介して光ピックアップ装置４５に連結された磁気ヘッド装置５２は、カートリッジホルダ３４の天板部６１に形成された開口部６０よりカートリッジ装着部３６側に臨まされている。そして、磁気ヘッド装置５２は、光ピックアップ装置４５が送りモータにより光磁気ディスク１５の径方向に送り操作されるとき、この光ピックアップ装置４５と一体に光磁気ディスク１５の径方向に送り操作される。
【００３４】
ベース３２のカートリッジ装着部３６が構成される上面側には、図８に示すように、カートリッジ装着部３６にディスクカートリッジ１１を装着させるためのカートリッジホルダ３４が回動可能に取り付けられる。このカートリッジホルダ３４は、ステンレス等の薄い金属板を折り曲げて形成されている。また、カートリッジホルダ３４は、ディスクカートリッジ１１の挿脱を行いやすくするためディスクカートリッジ１１よりやや大きく、ディスクカートリッジ１１を収納保持したとき、ディスクカートリッジ１１ががたつく程度の大きさに形成されている。
【００３５】
このカートリッジホルダ３４は、図８に示すように、ディスクカートリッジ１１の上面側を覆うに足る大きさを有する略矩形状に形成された天板部６１を有し、天板部６１の相対向する両側に、このカートリッジホルダ３４の挿入されるディスクカートリッジ１１の両側を支持する第１及び第２のカートリッジ保持部６２，６３が設けられている。これら第１及び第２のカートリッジ保持部６２，６３は、天板部６１の両側を垂直に折り曲げて形成されたカートリッジホルダ３４の側壁６４，６５と、これら側壁６４，６５の先端側を天板部６１と平行となるように折り曲げて形成されたカートリッジ支持片６６，６７とから構成されている。
【００３６】
カートリッジホルダ３４の第１及び第２のカートリッジ保持部６２，６３が形成された両側に直交する前面側の第１及び第２のカートリッジ保持部６２，６３との間の開放された部分がカートリッジ挿脱口６８となされ、このカートリッジ挿脱口６８を介してディスクカートリッジ１１が第１及び第２のカートリッジ保持部６２，６３間に挿入される。このとき、ディスクカートリッジ１１は、シャッタ部材２０が取り付けられた一側面に直交するシャッタ開放片進入溝２２の開放端が臨む面側を挿入端としてカートリッジホルダ３４に挿入される。カートリッジホルダ３４に挿入されるディスクカートリッジ１１は、シャッタ部材２０が取り付けられた一側面側と、この一側面に対向する他側面側が第１及び第２のカートリッジ保持部６２，６３に支持される。
【００３７】
さらに、カートリッジホルダ３４の第１のカートリッジ保持部６２を構成する側壁６４の長手方向の略中央部には、図８に示すように、カートリッジホルダ３４に挿入されるディスクカートリッジ１１の一側面側に形成したシャッタ開放片進入溝２２に進入し、シャッタロック部材２１を弾性変形してシャッタ部材２０のロックを解除するとともに、シャッタ部材２０をカートリッジホルダ３４の内方に挿入されるカートリッジ本体１４に対し相対移動させて記録再生用開口部１８，１９を開放させる方向に移動させるシャッタ開放片６９がカートリッジホルダ３４の内方に向かって折り返し形成されている。
【００３８】
また、第１のカートリッジ保持部６２を構成する側壁６４のシャッタ開放片６９が設けられた位置よりカートリッジ挿脱口６８側の位置には、図８に示すように、カートリッジホルダ３４に挿入されたディスクカートリッジ１１に取り付けられたシャッタ部材２０を記録再生用開口部１８，１９を開放した位置に保持するとともに、ディスクカートリッジ１１をカートリッジホルダ３４からイジェクトする際、カートリッジホルダ３４から突出される方向に移動されるカートリッジ本体１４に対しシャッタ部材２０を保持し、シャッタ部材２０を記録再生用開口部１８，１９を閉塞する方向に移動させるシャッタ部材保持片７１が設けられている。このシャッタ部材保持片７１は、側壁６４にＵ字状の切り込み７２を穿設することによって側壁６４に一体に形成されている。シャッタ部材保持片７１は、側壁６４の基端部から先端部側に向かって延長するように形成され、先端部側にシャッタ部材２０の連結部２０ｃに設けた係合孔２３に係合する係合突部７３が形成されている。係合突部７３は、シャッタ部材保持片７１の先端部側の一部をカートリッジホルダ３４の内方に突出するように折り曲げて形成されている。
【００３９】
カートリッジホルダ３４の第２のカートリッジ保持部６３を構成する側壁６５の基端部側には、図８に示すように、ディスクカートリッジ１１の誤挿入を防止する誤挿入防止片７４が設けられている。この誤挿入防止片７４は、側壁６５の一部をカートリッジホルダ３４の内方に折り曲げて形成されている。誤挿入防止片７４は、ディスクカートリッジ１１が正規の挿入方向に対し９０°向きを異にして、例えばシャッタ部材２０が取り付けられた一側面側を挿入端としてカートリッジホルダ３４に挿入されたような場合に、カートリッジホルダ３４への挿入を規制して誤挿入を防止する。
【００４０】
筐体３１内に配置されるベース３２に回動可能に取り付けられるカートリッジホルダ３４には、カートリッジホルダ３４が蓋体３３に取り付けられる回動アームと連動して回動するように、第１のカートリッジ保持部６２を構成する側壁６４の前端側に第１の回動連動片７５が形成されている。この第１の回動連動片７５は、蓋体３３に取り付けられる第１の回動アームに設けられた係合片と係合することで、カートリッジホルダ３４を蓋体３３と連動して回動させる。また、カートリッジホルダ３４の第２のカートリッジ保持部６３を構成する側壁６５にも、第１の回動連動片７５とともにカートリッジホルダ３４が蓋体３３に取り付けられる第２の回動アームと連動して回動するように、第２の回動連動片７６が形成されている。この第２の回動連動片７６は、蓋体３３に取り付けられる回動アームに設けられた係合孔と係合することで、カートリッジホルダ３４を蓋体３３と連動して回動させる。
【００４１】
以上のようなカートリッジホルダ３４は、カートリッジ挿脱口６８が形成された前面側に対向する基端部側の両側をベース３２に取り付けられた一対の支持部材５８に支軸５９を介して回動自在に支持される。すなわち、カートリッジホルダ３４は、第１及び第２のカートリッジ保持部６２，６３を構成する側壁６４，６５の基端部に穿設した枢支孔７７を支持部材５８，５８の側面に突設した支軸５９に挿通して取り付けられている。
【００４２】
ところで、カートリッジホルダ３４の天板部６１には、磁気ヘッド装置５２のヘッド支持板５４を昇降操作する昇降操作機構８１が設けられている。この昇降操作機構８１は、磁気ヘッド５３をカートリッジ装着部３６に装着されたディスクカートリッジ１１の光磁気ディスク１５に近接した第１の位置と離間する第２の位置とに亘って磁気ヘッド支持板５４を介して昇降操作する。
【００４３】
この昇降操作機構８１は、図８に示すように、磁気ヘッド装置５２を構成する磁気ヘッド支持板５４を回動操作するヘッド昇降板８２と、駆動モータにより移動操作されてヘッド昇降板８２を回動操作する操作板８３とを備える。ヘッド昇降板８２は、磁気ヘッド５３を天板部６１の上側から下側に移動させ、カートリッジ本体１４の記録再生用開口部１８よりカートリッジ本体１４内に進入させるためのピックアップ用開口部４８に掛け渡されるようにしてカートリッジホルダ３４の天板部６１に配設されている。
【００４４】
このヘッド昇降板８２は、ヘッド支持板５４を下側から支持する支持部８５と、この支持部８５の両端に突設された支持アーム８６，８６とを備える。そして、ヘッド昇降板８２は、支持アーム８６，８６の基端部をカートリッジホルダ３４の基端部側であって開口部８４の近傍に設けられた軸部８７，８７に支持され、軸部８７，８７を中心に回動可能にカートリッジホルダ３４上に配設されている。
【００４５】
また、ヘッド昇降板８２を回動操作する操作板８３は、カートリッジホルダ３４の天板部６１に移動可能に配設されている。この操作板８３の一側には、この操作板８３のディスクカートリッジ１１の挿脱方向と同じ図８中矢印Ｅ及びＦ方向の移動に応じてヘッド昇降板８２を回動操作するカム片８８が上方に立ち上がって形成されている。このカム片８８上には、ヘッド昇降板８２から突設された被操作片８９が当接される。
【００４６】
そして、操作板８３は、ベース３２の下面側に配設された図示しない駆動機構により天板部６１を図８中矢印Ｅ及びＦ方向に移動され、カム片８８により被操作片８９を押し上げることにより、ヘッド昇降板８２を図８中矢印Ｇ及びＨ方向に回動し、このヘッド昇降板８２の支持部８５に支持された磁気ヘッド装置５２の磁気ヘッド支持板５４を回動させる。
【００４７】
ところで、記録再生部９を構成する上述したベース３２は、図６に示すように、機器本体２を構成する筐体３１に形成された略矩形状に形成されたベース収納部３５に収納される。このベース収納部３５は、略矩形状に形成され、ベース３２よりやや大きく、ベース３２が配設されたときベース３２とベース収納部３５の側壁３５ａとの間に一定の間隙が形成される程度の大きさに形成されている。このベース収納部３５には、ベース３２を支持する支持機構９１を介してベース３２が収納される。
【００４８】
この支持機構９１は、図６及び図９に示すように、略矩形状に形成されたベース３２の裏面側の４つのコーナ部に形成された支軸９２と、ベース収納部３５の側壁３５ａに支軸９２に対応して形成された支持片９３とを有する。支軸９２は、基端部に設けられた取付部９２ａを介してかしめられることによりベース３２に形成される。支持片９３は、ベース収納部３５を構成する４つの側壁３５ａに、それぞれ側壁３５ａに対して略９０°をなすように折曲して、ベース３２をベース収納部３５内に支持できる程度の大きさに形成されている。それぞれの支持片９３には、ベース３２に形成された支軸９２が挿通される挿通孔９４が穿設されている。挿通孔９４は、直径が支軸９２の直径より大きくなるように形成されている。
【００４９】
そして、支軸９２の先端部には、係止孔９５が形成され、係止孔９５には、支軸９２を支持片９３の挿通孔９４に挿通して支持されたベース３２を支持片９３に取り付けるための規制部材９６が取り付けられる。規制部材９６は、例えばねじであり、係止孔９５に螺合して取り付けられる。係止孔９５には、一端部に支持片９３の挿通孔９４より直径の大きいフランジ状の規制部９７が設けられている。
【００５０】
ベース３２に形成された支軸９２は、支持片９３の挿通孔９４に挿通され、先端部に規制部材９６が取り付けられると、取付部９２ａと規制部材９６の規制部９７との間で支持片９３に対して支軸９２の軸方向となる図９中Ｘ方向に移動し、また、挿通孔９４が支軸９２の直径より大きく形成されていることから、挿通孔９４の範囲で支軸９２の軸方向と略直交しベース３２と平行な図９中Ｙ方向に移動可能な状態で取り付けられる。
【００５１】
また、支軸９２の取付部９２ａと支持片９３との間及び支持片９３と支軸９２に取り付けられた規制部材９６の規制部９７との間には、挿通孔９４に遊嵌状態で挿通された支軸９２を支持する振動減衰部材となる弾性支持体９８が取り付けられている。この弾性支持体９８は、筐体３１等に加えられた衝撃に伴う振動を減衰することができるようにゴム弾性を有する材料により形成されている。
【００５２】
この弾性支持体９８は、取付部９２ａと支持片９３との間に配設される第１の弾性支持部９９と支持片９３と規制部９７との間に配設される第２の弾性支持部１００と、第１の弾性支持部９９と第２の弾性支持部１００とを連結する連結部１０１とからなる。取付部９２ａと支持片９３との間に配設される第１の弾性支持部９９は、支軸９２が挿通される貫通孔９９ａが略中央部に形成されている。また、支持片９３と規制部９７との間に配設される第２の弾性支持部１００は、略中央部に支軸９２に挿通される貫通孔１００ａが形成され、また、略中央部に支持片９３の挿通孔９４と支軸９２との間に挿入されるとともに貫通孔１００ａを構成する筒部１００ｂが形成されている。
【００５３】
弾性支持体９８は、図９に示すように、第１の弾性支持部９９の貫通孔９９ａに支軸９２を挿通し、次いで、支軸９２をベース収納部３５の支持片９３の挿通孔９４に挿通し、次いで、第２の弾性支持部１００の筒部１００ｂを支軸９２と挿通孔９４との間の間隙に嵌入し、これと共に、第２の弾性支持部１００の貫通孔１００ａに支軸９２を挿通し、次いで、支軸９２の先端部に規制部材９６を螺合することで、取付部９２ａと支持片９３との間に第１の弾性支持部９９が配設され、支持片９３と規制部９７との間に第２の弾性支持部１００が配設された状態で取り付けられる。このとき、規制部材９６が支軸９２の先端部の係止孔９５に締め付けられることで、弾性支持体９８は、第１の弾性支持部９９が取付部９２ａと支持片９３とに圧縮され、第２の弾性支持部１００が支持片９３と規制部９７とに圧縮された状態で支軸９２に取り付けられる。
【００５４】
以上のようにベース３２をベース収納部３５に取り付ける支持機構９１は、機器本体２を構成する筐体３１に衝撃が加わったとき、ベース３２が取付部９２ａと規制部９７との間で図９中矢印Ｘ方向に移動し、また、支軸９２が支軸の直径より大きい直径を有する支持片９３の挿通孔９４に取り付けられることから、支軸９２と挿通孔９４との間に形成された間隙の分、図９中矢印Ｙ方向に移動することで、ディスクカートリッジ１１が装着されたベース３２に振動が直接伝わらないようにしている。そして、このとき、弾性支持体９８は、筐体３１等に加えられた衝撃に伴う振動を減衰し、カートリッジ装着部３６に装着されたディスクカートリッジ１１に振動が伝わらないようにしている。
【００５５】
また、このベース収納部３５には、図６に示すように、側壁３５ａにフレーム１０６が取り付けられる。このフレーム１０６は、ベース収納部３５の側壁３５ａに取り付けられるフレーム部１０７と、カートリッジホルダ３４と蓋体３３とを接続する一対の第１及び第２の回動アーム１０８，１０９とを備える。
【００５６】
ベース収納部３５に配設されるフレーム部１０７は、図６及び図１０に示すように、ステンレス等の薄い金属板を折り曲げて形成され、筐体３１の前面に対応する側を開放して略コ字状に形成されている。そして、フレーム部１０７は、ベース収納部３５を構成する側壁３５ａに複数のビス１１０により取り付けられる。このフレーム部１０７は、ベース収納部３５よりやや小さく形成され、ベース収納部３５の側壁３５ａとベース３２との間に間隙１１８が形成される大きさに形成されている。すなわち、この間隙１１８は、上述したようにベース３２が図９中矢印Ｙ方向に移動可能な状態で取り付けられているが、衝撃等でベース３２が図１０中矢印Ｙ方向に移動したときにも、ベース３２がフレーム部１０７に衝突しない程度に形成されている。
【００５７】
また、フレーム部１０７の内面側には、ベース収納部３５に配設されたベース３２への振動を減衰する振動減衰部材１１１が複数取り付けられている。これらの振動減衰部材１１１は、ゴム弾性を有する材料により形成され、略円形に形成されている。そして、振動減衰部材１１１は、フレーム部１０７の内面に接着剤等により取り付けられている。この振動減衰部材１１１は、衝撃等でベース３２が図１０中矢印Ｙ方向に振動したとき、ベース３２の側縁が当接することで、ベース３２への振動を減衰させることができ、カートリッジ装着部３６に装着されたディスクカートリッジ１１へ振動が伝達することを防止することができる。
【００５８】
また、フレーム部１０７には、開放側と対向する基端側に、ヒンジ部１１７によって第１及び第２の回動アーム１０８，１０９が回動可能に取り付けられている。そして、これら第１及び第２の回動アーム１０８，１０９には、図６に示すように、カートリッジ装着部３６を閉塞する蓋体３３が取り付けられる。
【００５９】
ここで、蓋体３３は、液晶表示パネル５の収納部６の底面部６ａを構成する天板部１２１と、天板部１２１の両側であって、第１及び第２の回動アーム１０８，１０９と平行となる側壁１２２，１２３とを有する。そして、側壁１２２，１２３の前面側には、第１及び第２の回動アーム１０８，１０９に蓋体３３を取り付けるための貫通孔１２２ａ，１２３ａが穿設されている。また、天板部１２１の背面側の側壁１２２，１２３側にも、蓋体３３を第１及び第２の回動アーム１０８，１０９に取り付けるための貫通孔１２１ａ，１２１ａが穿設されている。
【００６０】
一方、第１及び第２の回動アーム１０８，１０９には、先端側に、蓋体３３の側壁１２２，１２３に穿設された貫通孔１２２ａ，１２３ａに対応してねじ孔１０８ａ，１０９ａが形成されている。また、第１及び第２の回動アーム１０８，１０９の基端側には、天板部１２１と略平行となるように取付片１０８ｂ，１０９ｂが設けられ、取付片１０８ｂ，１０９ｂに、天板部１２１に穿設された貫通孔１２１ａ，１２１ａに対応してねじ孔１０８ｃ，１０９ｃが形成されている。
【００６１】
そして、蓋体３３は、ビス１２４を側壁１２２，１２３の貫通孔１２２ａ，１２３ａに挿通し、第１及び第２の回動アーム１０８，１０９のねじ孔１０８ａ，１０９ａに螺合し、また、ビス１２４を天板部１２１の貫通孔１２１ａ，１２１ａに挿通し、第１及び第２の回動アーム１０８，１０９のねじ孔１０８ｃ，１０９ｃに螺合することで、第１及び第２の回動アーム１０８，１０９と一体的に回動するように取り付けられる。
【００６２】
すなわち、図１１及び図１２に示すように、カートリッジホルダ３４は、基端部側で、ベース３２に設けられた支軸５９を回動支点として、ベース３２に対して回動可能に支持され、蓋体３３が取り付けられた第１及び第２の回動アーム１０８，１０９とは、ヒンジ部１１７で回動可能に支持されている。蓋体３３が取り付けられた第１及び第２の回動アーム１０８，１０９のヒンジ部１１７は、カートリッジホルダ３４の回動支点より装置本体２の背面側に設けられ、第１及び第２の回動アーム１０８，１０９は、カートリッジホルダ３４と回動支点と異にしてフレーム部１０７に回動可能に取り付けられている。
【００６３】
以上のように蓋体３３に取り付けられる第１の回動アーム１０８には、図６に示すように、第１のカートリッジ保持部６２を構成する側壁６４の前端側に第１の回動連動片７５が係合する係合片１１２が外側に略９０°折り曲げて形成されている。そして、係合片１１２は、図１１に示すように、蓋体３３がカートリッジ装着部３６を開ける方向に回動されたとき、第１の回動連動片７５を持ち上げるようにして、カートリッジホルダ３４をカートリッジ装着部３６から離間する図１１中矢印Ｉ方向に回動させる。
【００６４】
また、第２の回動アーム１０９には、図１２に示すように、カートリッジホルダ３４を第２のカートリッジ保持部６３を構成する側壁６５に設けられた第２の回動連動片７６が係合される係合孔１１３が形成されている。この係合孔１１３は、第２の回動連結片７６の厚さに比し大きな開口を有して形成されている。したがって、蓋体３３は、係合孔１１３の範囲でカートリッジホルダ３４から離間するようにさらに図１２中矢印Ｉ方向に回動可能となされている。また、係合孔１１３は、蓋体３３がカートリッジホルダ３４からさらに離間する方向に回動されたとき、下端部で第２の回動連動片７６を持ち上げるようにして、カートリッジホルダ３４を図１２中矢印Ｉ方向に回動させる。したがって、蓋体３３がカートリッジホルダ３４の周囲から前面側のカートリッジ挿脱口６８を覆うような形状に形成された場合であっても、カートリッジホルダ３４がディスクカートリッジ１１の挿脱を可能とする位置まで回動されたとき、蓋体３３がさらに図１２中矢印Ｉ方向に回動されることで、カートリッジホルダ３４の前面側に構成されたカートリッジ挿脱口６８を大きく開放させることができ、容易にディスクカートリッジ１１の挿脱を行うことが可能となる。
【００６５】
また、第２の回動アーム１０９の中程には、図６及び図１３に示すように、下側に向かって第１及び第２の回動アーム１０８，１０９に取り付けられた蓋体３３の回動領域を規制する回動規制片１１４が設けられている。回動規制片１１４は、先端部が外側に向かって略９０°に折り曲げられ、筐体３１のベース収納部３５を構成する側壁３５ａに切り欠き形成された切欠部１１５に係合される規制部１１６が形成されている。規制部１１６は、蓋体３３をカートリッジ装着部３６を開ける図１３中矢印Ｉ方向に回動したとき、切欠部１１５に係合することで、蓋体３３の回動領域を規制する。
【００６６】
ところで、フレーム１０６の第１及び第２の回動アーム１０８，１０９に一体的に取り付けられた蓋体３３とベース３２に回動可能に取り付けられたカートリッジホルダ３４の天板部６１との間には、図１４に示すように、蓋体３３の天板部１２１の裏面に取り付けられ、カートリッジホルダ３４の天板部６１をカートリッジ装着部３６の方向に押圧する押圧部材１２６が配設されている。この押圧部材１２６は、板ばねにより形成され、蓋体３３を構成する天板部１２１の裏面に取り付けるための取付部１２７と、取付部１２７の両側に形成された弾性変位部を構成する弾性アーム１２８，１２８とからなる。取付部１２７は、天板部１２１に確実に取り付けることができるように平板状に形成されている。弾性アーム１２８，１２８は、取付部１２７の両側に一体的に形成され、取付部１２７が天板部１２１の裏面に取り付けられたとき、カートリッジホルダ３４の天板部６１を押圧することができる方向に取付部１２７との境界部で折り曲げられている。また、弾性アーム１２８，１２８の先端側で、カートリッジホルダ３４の天板部６１と接触する位置には、天板部６１を押圧する押圧部１２９，１２９が突起状に形成されている。図１１及び図１２に示すように、ヒンジ部１１７で回動可能に支持された第１及び第２の回動アーム１０８，１０９と支軸５９でベース３２に回動可能に支持されたカートリッジホルダ３４とは、回動支点を異にしていることから、弾性アーム１２８，１２８の押圧部１２９，１２９は、蓋体３３の回動操作が行われるたびに、カートリッジホルダ３４との接触位置がずれることになる。このとき、押圧部１２９，１２９は、突起状に形成され、天板部６１とは点接触であることから、天板部６１に対し円滑に滑ることができる。また、押圧部１２９，１２９は、天板部６１に対して点接触であることから、天板部６１への荷重を集中することができ、天板部６１を内側に撓ませ、カートリッジホルダ３４に保持されたディスクカートリッジ１１をカートリッジ装着部３６に押圧することができる。
【００６７】
以上のような押圧部材１２６は、蓋体３３の天板部１２１の裏面に、主として蓋体３３に加えられた衝撃等に伴う振動を減衰する振動減衰部材１３１を介して取り付けられる。この振動減衰部材１３１は、振動を減衰することができるようにゴム弾性を有するゴムシート、例えばブチルゴムにより形成されたシート材が用いられる。この振動減衰部材１３１は、除去する振動の周波数に応じて厚さが定められる。例えば、使用時に利用者が蓋体３３等をたたいたときに生じる周波数の高い振動を除去する場合には、厚さ０．５ｍｍ程度のゴムシートが用いられ、周波数の高い振動の他、通常の使用状態で生じる１０Ｈｚ程度の低い周波数の振動をも除去する場合には、厚さ０．５ｍｍより更に厚いゴムシートが用いられる。すなわち、振動減衰部材１３１を構成するゴムシートの厚さは、目的とする振動の周波数に応じて適宜定められる。
【００６８】
以上のような振動減衰部材１３１は、一方の面に、押圧部材１２６の取付部１２７が接着剤により接着され、他方の面が接着剤により蓋体３３の天板部１２１の裏面に接着される。このように振動減衰部材１３１を介して蓋体３３の天板部１２１に取り付けられた押圧部材１２６は、図１５に示すように、蓋体３３がカートリッジ装着部３６を開放しているとき、カートリッジホルダ３４を蓋体３３に対して離間する方向に押圧している。そして、蓋体３３がカートリッジ装着部３６を閉塞しているとき、図１２に示すように、第２の回動連結片７６は、係合孔１１３の上端により押圧され、カートリッジ装着部３６を閉塞する図１２中矢印Ｊ方向に回動される。すると、図１６に示すように、図示しない蓋体３３をカートリッジ装着部３６を閉塞した位置に保持するロック機構によりカートリッジ装着部３６を閉塞した位置に保持される。すると、カートリッジホルダ３４の第１及び第２のカートリッジ保持部６２，６３を構成するカートリッジ支持片６６，６７がベース３２に当接され、蓋体３３がロック機構によりカートリッジ装着部３６を閉塞した位置に保持されることで、蓋体３３とカートリッジホルダ３４の天板部６１との間の間隔が狭まり、押圧部材１２６の弾性アーム１２８，１２８が蓋体３３の天板部１２１側に弾性変位される。これにより、弾性アーム１２８，１２８の押圧部１２９，１２９は、カートリッジホルダ３４の天板部６１をカートリッジ装着部３６の方向に押圧し、この天板部６１を内側に撓ませる。これにより、ディスクカートリッジ１１は、カートリッジ装着部３６に押圧される。この状態で、蓋体３３がたたかれ振動が加えられた場合、押圧部材１２６は、振動減衰部材１３１を介して蓋体３３の天板部１２１に取り付けられていることから、振動減衰部材１３１で振動が減衰され、ディスクカートリッジ１１に振動が加わることを防止することができる。
【００６９】
以上のようなビデオカメラ装置１は、図３に示すように、撮影した映像信号を記録するディスクカートリッジ１１の挿脱を行うとき、液晶表示パネル５が開かれた状態にされ、記録再生部９が外方に臨まされた状態にされる。具体的に、蓋体３３のロック解除ボタン１０ｂが操作されると、蓋体３３のロック機構が解除され、カートリッジ装着部３６が開放された状態となる。このとき、蓋体３３が図１１及び図１２に示すように、利用者により図１１及び図１２中矢印Ｉ方向に回動されると、係合孔１１３は、下端部で第２の回動連動片７６を持ち上げ、同時に、係合片１１２は、第１の回動連動片７５を持ち上げるようにして、カートリッジホルダ３４をカートリッジ装着部３６から離間する図１１及び図１２中矢印Ｉ方向に回動させる。
【００７０】
すると、図１５に示すように、蓋体３３の天板部１２１に振動減衰部材１３１を介して取り付けられた押圧部材１２６は、図１５に示すように、カートリッジホルダ３４を蓋体３３に対して離間する方向に押圧し、第２の回動連動片７６は、係合孔１１３下端部に押圧される。なお、図１３に示すように、蓋体３３は、フレーム１０６の第２の回動アーム１０９に設けられた回動規制片１１４の規制部１１６が筐体３１のベース収納部３５を構成する切欠部１１５に係合されることで、回動領域が規制される。これにより、カートリッジホルダ３４のカートリッジ挿脱口６８は、図３に示すように、大きく開放され、ディスクカートリッジ１１を容易に挿入することができる状態となる。そして、ディスクカートリッジ１１は、シャッタ部材２０が取り付けられたカートリッジ本体１４の側面と直交する一側面を挿入端として、カートリッジ挿脱口６８よりカートリッジホルダ３４内に挿入され、カートリッジホルダ３４の第１及び第２のカートリッジ保持部６２，６３に保持される。
【００７１】
そして、ディスクカートリッジ１１のシャッタ部材２０は、図８に示すように、カートリッジホルダ３４の第１のカートリッジ保持部６２に設けられたシャッタ開放片６９がシャッタ開放片進入溝２２に進入し、シャッタ部材２０のシャッタロック部材２１によるロックを解除することで、記録再生用開口部１８，１９を開放する方向に移動される。そして、シャッタ部材２０は、連結部２０ｃに設けられた係合孔２３にシャッタ部材保持片７１の係合突部７３が係合することで、記録再生用開口部１８，１９を開放した状態が保持され、ディスクカートリッジ１１は、カートリッジ本体１４の上面側の記録再生用開口部１８よりカートリッジ本体１４内に磁気ヘッド５３が進入可能な状態状態となり、また、カートリッジ本体１４の下面側の記録再生用開口部１９より光磁気ディスク１５が光ピックアップ装置４５の対物レンズ４７に臨まされ、光磁気ディスク１５に対して情報信号の記録又は再生が可能な状態となる。
【００７２】
このとき、図８及び図１７に示すように、磁気ヘッド装置５２のヘッド支持板５４を昇降操作する昇降操作機構８１は、操作板８３が図示しない駆動機構により天板部６１を図８中矢印Ｅ方向に移動することで、カム片８８により被操作片８９が押し上げられ、ヘッド昇降板８２が図８及び図１７中矢印Ｇ方向に回動された状態となる。したがって、磁気ヘッド５３は、図８及び図１７中矢印Ｃ方向に回動されることで、天板部６１の開口部６０より外側に待避され、ディスクカートリッジ１１の挿脱が行われる際、ディスクカートリッジ１１と衝突することが防止されている。
【００７３】
そして、蓋体３３を押圧等して、蓋体３３を図１１及び図１３中矢印Ｊ方向に回動操作すると、ディスクカートリッジ１１は、図１６に示すように、カートリッジ装着部３６に装着される。すると、蓋体３３は、図示しないロック機構によりロックされ、カートリッジ装着部３６を閉塞した状態に保持される。このとき、カートリッジホルダ３４の第１及び第２のカートリッジ支持部６２，６３を構成するカートリッジ支持片６５，６６がベース３２に当接され、蓋体３３とカートリッジホルダ３４の天板部６１との間の間隔が狭まり、押圧部材１２６の弾性アーム１２８，１２８が蓋体３３の天板部１２１側に弾性変位される。これにより、弾性アーム１２８，１２８の押圧部１２９，１２９は、カートリッジホルダ３４の天板部６１をカートリッジ装着部３６の方向に押圧し、この天板部６１を内側に撓ませる。すると、ディスクカートリッジ１１は、カートリッジホルダ３４の天板部６１を介してカートリッジ装着部３６に押圧され、確実にカートリッジ装着部３６に装着される。そして、カートリッジ本体１４内の光磁気ディスク１５は、クランピングプレート１６がディスク回転操作機構４１のマグネットにより磁気吸引されディスクテーブル４４に係合し、ディスク回転操作機構４１にクランプされる。
【００７４】
この状態で、液晶表示パネル５が開かれた状態で記録再生部９の蓋体３３がカートリッジ装着部３６を閉塞した図２に示すような状態や液晶表示パネル５が閉じられた図１に示すような状態で、例えば操作部１０を構成する記録開始ボタン１０ａが押されると、撮像部３で撮像された映像信号がカートリッジ装着部３６に装着されたディスクカートリッジ１１の光磁気ディスク１５に記録される。すなわち、光磁気ディスク１５に対して情報信号の記録を開始するとき、図８及び図１７に示すように、昇降操作機構８１は、操作板８３が図示しない駆動機構により天板部６１を図８中矢印Ｆ方向に移動することで、被操作片８９がカム片８８から外れ、ヘッド昇降板８２が図８及び図１７中矢印Ｈ方向に回動された状態となる。すると、磁気ヘッド５３は、図８及び図１７中矢印Ｄ方向に回動されることで、天板部６１の開口部６０を介してカートリッジ本体１４の記録再生用開口部１８よりカートリッジ本体１４内に進入する。
【００７５】
これと同時に、ディスク回転操作機構４１のスピンドルモータ４２が駆動され、光磁気ディスク１５は、回転される。そして、光磁気ディスク１５には、ピックアップ送り機構により光ピックアップ装置４５と磁気ヘッド装置５２とが光磁気ディスク１５の径方向に移動され、光ピックアップ装置４５により光ビームが照射された位置に磁気ヘッド５３により外部磁界が印加されることで、情報信号が記録される。
【００７６】
また、撮像部３で撮影した映像を見る場合や、撮影をした映像を見て光磁気ディスク１５に記録されていた情報信号を編集する場合のように、ディスクカートリッジ１１の光磁気ディスク１５に記録された情報信号を再生する場合には、磁気ヘッド装置５２を用いることなく、光ピックアップ装置４５で光磁気ディスク１５に光ビームを照射し、光磁気ディスク１５で反射した戻りの光ビームを検出することで、光磁気ディスク１５に記録された情報信号の再生を行う。すなわち、図８及び図１７に示すように、操作部１０を構成する再生開始ボタンが押されると、磁気ヘッド装置５２のヘッド支持板５４を昇降操作する昇降操作機構８１は、操作板８３が図示しない駆動機構により天板部６１を図８中矢印Ｅ方向に移動することで、カム片８８により被操作片８９が押し上げられ、ヘッド昇降板８２が図８及び図１７中矢印Ｇ方向に回動された状態となり、磁気ヘッド５３は、図８及び図１７中矢印Ｃ方向に回動されることで、天板部６１の開口部６０より外側に待避された状態となる。この状態で、光ピックアップ装置４５は、ピックアップ送り機構により光磁気ディスク１５の径方向に移動操作される。そして、光ピックアップ装置４５の半導体レーザより出射された光ビームが対物レンズ４７により収束された状態で照射され、光磁気ディスク１５で反射された戻りの光ビームが光検出器で検出されることで、光磁気ディスク１５に記録された情報信号の読み出しが行われる。光ピックアップ装置４５で読み出された情報信号は、所定時間分バッファメモリに記録された後、ビューファインダ４及び／又は液晶表示パネル５に表示される。
【００７７】
ところで、以上のように情報信号の記録又は再生を行っているとき、図１６に示すように、ディスクカートリッジ１１は、押圧部材１２６によりカートリッジホルダ３４の天板部６１を介してカートリッジ装着部３６に押圧され、確実にカートリッジ装着部３６に装着されている。そして、押圧部材１２６は、蓋体３３を構成する天板部１２１の裏面に振動減衰部材１３１を介して取り付けられていることから、例えば蓋体３３がたたかれ振動が加えられた場合にも、この振動は、振動減衰部材１３１を介して減衰され、押圧部材１２６及びカートリッジホルダ３４の天板部６１を介してカートリッジ装着部３６に装着されたディスクカートリッジ１１に伝わることが防止される。したがって、ディスク回転操作機構４１にクランプされた光磁気ディスク１５は、振動することなく、磁気ヘッド５３が光磁気ディスク１５に対して磁界を印加している位置がずれることが無く、また、光ビームの照射位置がずれることがないことから、記録再生エラーを発生することなく確実に情報信号を光磁気ディスク１５の所定の記録トラックに記録し、また、記録トラックに記録された情報信号を確実に読み出すことができる。
【００７８】
また、ディスクカートリッジ１１が装着されるカートリッジ装着部３６が構成されたベース３２は、図９に示すように、支持機構９１により支持されている。この支持機構９１は、機器本体２を構成する筐体３１に衝撃が加わったとき、ベース３２が取付部９２ａと規制部９７との間で図９中矢印Ｘ方向に移動し、また、支軸９２が支軸の直径より大きい直径を有する支持片９３の挿通孔９４に取り付けられることから、支軸９２と挿通孔９４との間に形成された間隙の分、図９中矢印Ｙ方向に移動する外部からの振動が直接伝わることが防止される。そして、弾性支持体９８により筐体３１等に加えられた衝撃に伴う振動が減衰されることから、カートリッジ装着部３６に装着されたディスクカートリッジ１１に振動が伝わることを防止される。
【００７９】
また、図１７に示すように、ベース収納部３５の側壁３５ａに取り付けられるフレーム１０６のフレーム部１０７の内面側には、ベース収納部３５に配設されたベース３２への振動を減衰する振動減衰部材１１１が複数取り付けられている。振動減衰部材１１１は、衝撃等でベース３２が図１０中矢印Ｙ方向に振動したとき、ベース３２の側縁が当接することで、ベース３２への振動を減衰させることができ、カートリッジ装着部３６に装着されたディスクカートリッジ１１へ振動が伝達することを防止することができる。
【００８０】
したがって、ディスク回転操作機構４１にクランプされた光磁気ディスク１５は、装置本体２がたたかされた場合にも振動することなく、磁気ヘッド５３が光磁気ディスク１５に対して磁界を印加している位置がずれることが無く、また、光ビームの照射位置がずれることがないことから、記録再生エラーを発生することなく確実に情報信号を光磁気ディスク１５の所定の記録トラックに記録し、また、記録トラックに記録された情報信号を確実に読み出すことができる。
【００８１】
以上、蓋体３３の天板部１２１に裏面に振動減衰部材１３１を介して取り付けられた押圧部材１２６がカートリッジホルダ３４の天板部６１を介して押圧する場合について説明したが、本発明はこれに限定されるものではなく、押圧部材１２６の弾性アーム１２８，１２８が直接カートリッジ装着部３６に装着されたディスクカートリッジ１１を押圧するようにしてもよい。
【００８２】
また、本発明は、カートリッジ装着部３６に装着されたディスクカートリッジ１１をカートリッジ装着部３６に押圧する押圧部材１２６を振動減衰部材１３１を介して取り付けることで、上述したようにベース３２がベース収納部３５内で移動可能に支持する弾性支持体９８を有する支持機構９１やフレーム部１０７の周囲に取り付けた減衰部材１１１を必ずしも取り付ける必要もない。
【００８３】
また、以上、本発明が適用されたビデオカメラ装置１について図面を参照して説明したが、本発明は、楽音信号を記録するディスクカートリッジの携帯型記録及び／又は再生装置に適用してもよい。
【００８４】
【発明の効果】
本発明に係る記録及び／又は再生装置によれば、カートリッジホルダ及び／又はカートリッジ装着部に装着されたディスクカートリッジをベースに押圧する押圧部材が振動を減衰させる第１の振動減衰部材を介して蓋体に取り付けられていることから、蓋体等に加えられた振動が第１の振動減衰部材により減衰され、押圧部材を介してカートリッジ装着部に装着されたディスクカートリッジに伝達されることを防止することができる。したがって、ディスク回転操作機構にクランプされた光磁気ディスクは、この振動により記録又は再生時に揺れることが防止されることから、記録及び／又は再生手段により確実に情報信号を記録又は再生することができる。
【図面の簡単な説明】
【図１】本発明が適用されたビデオカメラ装置の斜視図である。
【図２】液晶表示パネルが開かれた状態のビデオカメラ装置の斜視図である。
【図３】ビデオカメラ装置にディスクカートリッジを挿脱する状態を示す斜視図である。
【図４】ディスクカートリッジを上側から見た斜視図である。
【図５】ディスクカートリッジを下側から見た斜視図である。
【図６】ディスクカートリッジが装着される記録再生部の分解斜視図である。
【図７】カートリッジ装着部を構成するベースと磁気ヘッド装置の斜視図である。
【図８】ベースにカートリッジホルダが取り付けられた状態の斜視図である。
【図９】ベースをベース収納部に取り付けるための支持機構の断面図である。
【図１０】ベース収納部にベースが収納された状態を示す平面図である。
【図１１】記録再生部を一方の側から見た側面図である。
【図１２】記録再生部を他方の側から見た側面図である。
【図１３】蓋体の回動領域を規制する回動規制片を説明するための斜視図である。
【図１４】押圧部材と振動減衰部材の蓋体への取り付けを説明するための分解斜視図である。
【図１５】蓋体がカートリッジ装着部を開放しているときの押圧部材の状態を示す断面図である。
【図１６】蓋体がカートリッジ装着部を閉塞しているときの押圧部材の状態を示す断面図である。
【図１７】カートリッジ装着部に装着されたディスクカートリッジと磁気ヘッド装置との関係を示す断面図である。
【符号の説明】
１  ビデオカメラ装置、２  機器本体、５  液晶表示パネル、９  記録再生部、１１  ディスクカートリッジ、１４  カートリッジ本体、１５  光磁気ディスク、１８，１９  記録再生用開口部、２０  シャッタ部材、３１  筐体、３２  ベース、３３  蓋体、３４  カートリッジホルダ、３５  ベース収納部、３６  カートリッジ装着部、４１  ディスク回転操作機構、４４  ディスクテーブル、４５  光ピックアップ装置、４７  対物レンズ、５２  磁気ヘッド装置、５３  磁気ヘッド、６１  天板部、６２  第１のカートリッジ保持部、６３  第２のカートリッジ保持部、８１  昇降操作機構、９１  支持機構、９２  支軸、９３  支持片、９４  挿通孔、９６  規制部材、９７  規制部、９８  弾性支持体、１２６  押圧部材、１２８  弾性アーム、１２９  押圧部、１３１  振動減衰部材
【図１】
0004029524.tif 000002
【図２】
0004029524.tif 000003
【図３】
0004029524.tif 000004
【図４】
0004029524.tif 000005
【図５】
0004029524.tif 000006
【図６】
0004029524.tif 000007
【図７】
0004029524.tif 000008
【図８】
0004029524.tif 000009
【図９】
0004029524.tif 000010
【図１０】
0004029524.tif 000011
【図１１】
0004029524.tif 000012
【図１２】
0004029524.tif 000013
【図１３】
0004029524.tif 000014
【図１４】
0004029524.tif 000015
【図１５】
0004029524.tif 000016
【図１６】
0004029524.tif 000017
【図１７】
0004029524.tif 000018